(57)【要約】【課題】他の記録再生装置に対し、圧縮ＡＶ信号の記録や圧縮ＡＶ信号の再生と送信などの動作を行わせることができる記録再生装置を提供する。【解決手段】無線手段とアンテナを設け、他の記録再生装置との間で無線通信を可能とし、かつ圧縮ＡＶ信号と制御信号の送信や受信を行えるようにする。このようにすれば、例えば、部屋Ａに設置されている記録再生装置１で録画した番組を部屋Ｂに設置されている記録再生装置２へ送信して録画させることができるので、部屋Ｂで該番組を視聴することが可能となる。【選択図】    図１
2004260767.tif 000002
【特許請求の範囲】
【請求項１】
ランダムアクセスが可能である記録媒体に圧縮ＡＶ信号の記録及び再生を行う記録再生装置であって、圧縮ＡＶ信号と制御信号の送信動作もしくは受信動作の少なくとも一方を行う双方向無線通信手段を具備し、かつ、前記双方向無線通信手段を用いて他の記録再生装置に対し動作を指示する動作指示手段、もしくは、他の記録再生装置から受けた指示に応じて動作する制御手段の少なくとも一方を具備するとともに、他の記録再生装置に行った指示の内容もしくは他の記録再生装置から受けた指示の内容の少なくとも一方を保存する保存手段を具備し、再生時に前記保存手段を参照することを特徴とする記録再生装置。
【請求項２】
請求項１記載の記録再生装置であって、録画時に前記双方向無線通信手段を用いて他の記録再生装置が記録可能であるか否かを確認する確認手段を具備し、確認した結果を参照して録画動作を行わせる記録再生装置を自動的に選択することを特徴とする記録再生装置。
【請求項３】
請求項１もしくは２のいずれかに記載の記録再生装置であって、放送信号を受信する放送信号受信手段を具備し、受信した放送信号を他の記録再生装置に録画させることを特徴とする記録再生装置。
【請求項４】
請求項１乃至３のいずれかに記載の記録再生装置であって、指定時刻に録画動作の開始および停止を行うためのタイマー録画手段と、記録媒体の残りの記録容量を監視する監視手段とを具備し、録画予約時に残りの記録容量が不足している場合、他の記録再生装置に対して録画予約を指示することを特徴とする記録再生装置。
【請求項５】
録画予約時に残りの記録容量が不足している場合、他の記録再生装置に対し、その不足分の録画予約を指示することを特徴とする請求項４記載の記録再生装置。
【請求項６】
複数の記録再生装置に分散して記録された圧縮ＡＶ信号を再生する場合、他の記録再生装置に対して圧縮ＡＶ信号の再生および送信を指示し、分散して記録された一連の圧縮ＡＶ信号を順次連続して受信し再生することを特徴とする請求項１乃至５のいずれかに記載の記録再生装置。
【請求項７】
他の記録再生装置に記録された圧縮ＡＶ信号を再生中に、特殊再生動作の指示を受けると、現在再生動作中の他の記録再生装置に対しこの指示を転送することを特徴とする請求項１乃至６のいずれかに記載の記録再生装置。
【請求項８】
前記双方向無線通信手段は、伝送帯域の確保が可能であり、圧縮ＡＶ信号を送信するとき、あらかじめ伝送帯域の確保を行うことを特徴とする請求項１乃至７のいずれかに記載の記録再生装置。
【請求項９】
前記双方向無線通信手段は、無線ネットワークの基準時刻に同期したタイマー手段と、前記タイマー手段を基に時間軸復元用のタイムスタンプをＡＶパケット毎に付加する手段とを具備し、タイムスタンプが付加されたＡＶパケットを送信することを特徴とする請求項１乃至８のいずれかに記載の記録再生装置。
【請求項１０】
前記双方向無線通信手段は、無線ネットワークの基準時刻に同期したタイマー手段を具備し、前記タイマー手段及び受信したＡＶパケット毎に付加されている時間軸復元用のタイムスタンプを基に時間軸を復元し、前記受信したＡＶパケットを出力することを特徴とする請求項１乃至８のいずれかに記載の記録再生装置。
【請求項１１】
前記双方向無線通信手段は、前記タイマー手段及び受信したＡＶパケット毎に付加されている時間軸復元用のタイムスタンプを基に時間軸を復元し、前記受信したＡＶパケットを出力することを特徴とする請求項９記載の記録再生装置。
【請求項１２】
前記双方向無線通信手段として、記録再生装置とは独立した無線接続アダプタ装置を、この無線接続アダプタ装置との接続手段を介して用いることを特徴とする請求項１乃至１１記載の記録再生装置。
【請求項１３】
ＩＥＥＥ１３９４高速シリアルバスを具備し、無線接続アダプタ装置とデジタル信号で接続されることを特徴とする請求項１２記載の記録再生装置。
【請求項１４】
圧縮ＡＶ信号を復元してデジタルＡＶ信号とする復元手段及びデジタルＡＶ信号をアナログＡＶ信号に変換するデジタル／アナログ変換手段、もしくは、アナログＡＶ信号をデジタルＡＶ信号に変換するアナログ／デジタル変換手段及びデジタルＡＶ信号を圧縮して圧縮ＡＶ信号とする圧縮手段の少なくとも一方を具備し、無線接続アダプタ装置とアナログ信号で接続されることを特徴とする請求項１２記載の記録再生装置。
【請求項１５】
無線接続アダプタ装置との間で赤外線を用いて制御信号の送信もしくは受信の少なくとも一方を行うことを特徴とする請求項１４記載の記録再生装置。
【請求項１６】
請求項１乃至１５のいずれかに記載の記録再生装置の全部または一部の手段、全部または一部の機能をコンピュータにより実行させるためのプログラムからなる情報集合体。
【請求項１７】
請求項１２、１４、１５のいずれかに記載の記録再生装置と接続可能な無線接続アダプタ装置。
【請求項１８】
請求項１３記載の記録再生装置と接続可能な無線接続アダプタ装置。
【請求項１９】
ＩＥＥＥ１３９４高速シリアルバスを用いて接続された複数の記録再生装置を制御する制御手段を具備することを特徴とする請求項１８記載の無線接続アダプタ装置。
【請求項２０】
請求項１７乃至１９のいずれかに記載の無線接続アダプタ装置の全部または一部の手段、全部または一部の機能をコンピュータにより実行させるためのプログラムからなる情報集合体。
【請求項２１】
請求項１乃至１５のいずれかに記載の記録再生装置の全部または一部の手段、全部または一部の機能を有することを特徴とする表示装置。
【請求項２２】
請求項２１記載の表示装置の全部または一部の手段、全部または一部の機能をコンピュータにより実行させるためのプログラムからなる情報集合体。
【請求項２３】
請求項１乃至１５のいずれかに記載の記録再生装置の全部または一部の手段、全部または一部の機能を有することを特徴とする放送信号受信装置。
【請求項２４】
請求項２１記載の表示装置の全部または一部の手段、全部もしくは一部の機能を有することを特徴とする放送信号受信装置。
【請求項２５】
請求項２３もしくは２４のいずれかに記載の放送信号受信装置の全部または一部の手段、全部または一部の機能をコンピュータにより実行させるためのプログラムからなる情報集合体。
【発明の詳細な説明】
【０００１】
【発明の属する技術分野】
本発明は、ランダムアクセスが可能である記録媒体に圧縮ＡＶ信号（圧縮されたデジタル映像・音声信号）の記録及び再生を行う記録再生装置、無線接続アダプタ装置、表示装置、放送信号受信装置、情報集合体に関する。
【０００２】
【従来の技術】
近年、デジタル圧縮されたＡＶ信号（映像・音声信号）である圧縮ＡＶ信号をハードディスク装置や光ディスク装置などの記録メディアを用いて記録及び再生する記録再生装置が登場している（例えば、非特許文献１参照。）。
【０００３】
以下、図面を参照しながら、従来の記録再生装置の一例について説明する。図１２は従来の記録再生装置の一例を示すブロック図である。但し、この図は、映像信号に対する処理を行う手段のみを示しており、音声信号に対する処理を行う手段を省略している。
【０００４】
図１２において、２０１はアナログ入力端子であり、アナログ映像信号が入力される。２０２はアナログ／デジタル変換手段であり、アナログ映像信号をデジタル映像信号に変換する。２０３は圧縮手段であり、デジタル映像信号を圧縮して圧縮映像信号とする。２０４は圧縮映像信号に誤り訂正符号などを付加して記録用のビットストリームを生成するビットストリーム生成手段、２０５は記録用バッファ、２０６は記録用バッファ２０５から読み出されたビットストリームに対して記録に最適な変調を施す記録変調手段、２０７は制御手段、２０８はランダムアクセスが可能な記録媒体を内蔵する記録メディア（記録再生装置本体）であるハードディスク装置である。
【０００５】
また、２０９はハードディスク装置２０８から読み出されたビットストリームに施されている変調を元に戻す再生復調手段、２１０は再生用バッファ、２１１は再生用バッファ２１０から読み出されたビットストリームを伸張して元のデジタル映像信号に復元する復元手段、２１２は表示用メモリ手段、２１３はデジタル映像信号をアナログ映像信号に変換するデジタル／アナログ変換手段、２１４はアナログ出力端子であり、アナログ映像信号を出力する。
【０００６】
制御手段２０７は、記録用バッファ２０５と再生用バッファ２１０からのビットストリームの読み出し、およびハードディスク装置２０８による記録媒体へのビットストリームの書き込み処理と読み出し処理を制御する。
【０００７】
また、２１５はデジタル入出力端子、２１６はデジタルインターフェイスであり、デジタル映像信号の入出力が行われる。
続いて、当該従来の記録再生装置の動作について説明する。但し、通常は映像信号に同期した音声信号も同時に処理される。
【０００８】
記録時（録画時）は、アナログ入力端子２０１より入力されたアナログ映像信号が、アナログ／デジタル変換手段２０２でデジタル映像信号に変換される。通常のテレビジョン信号の場合、サンプリング周波数は１４．３ＭＨｚなどが用いられる。デジタル映像信号は圧縮手段２０３により圧縮処理が施される。圧縮方式としてはＭＰＥＧ２圧縮方式が広く用いられており、圧縮後のビットレートは数Ｍｂｐｓ程度である。圧縮映像信号は、ビットストリーム生成手段２０４により誤り訂正符号などが付加され記録用のビットストリームとなる。記録用ビットストリームは、記録用バッファ２０５に蓄積され、記録変調手段２０６により記録に最適な変調が施された後、ハードディスク装置２０８内蔵の記録媒体である磁気ディスクに書き込まれる。ハードディスク装置２０８は、通常、記録セクタ単位で書き込みを行うため、記録セクタがヘッドの位置まで回転する時間分バッファリングが必要となる。このディスクの回転待ちのために記録用バッファ２０５が設置されている。記録用バッファ２０５からの読み出しと、ハードディスク装置２０８による書き込み処理は、制御手段２０７により同期を取って制御される。
【０００９】
再生時は、ハードディスク装置２０８から読み出されたビットストリームに対し、再生復調手段２０９により復調処理を施し、記録時にかけられた変調を元に戻す。元に戻されたビットストリームは、再生用バッファ２０１に一旦蓄積された後、誤り訂正などの処理が行われ、復元手段２１１に入力される。復元手段２１１は、記録時に圧縮手段２０３により施された圧縮処理の逆の処理である伸張処理を施し、デジタル映像信号を復元する。復元されたデジタル映像信号は、表示用メモリ手段２１２にフレーム単位で蓄積され、デジタル／アナログ変換手段２１３でアナログ映像信号に変換され、アナログ出力端子２１４から出力される。
【００１０】
なお、圧縮手段２０３の直後や復元手段２１１の直前の圧縮映像信号をデジタルインターフェイス２１６を介してデジタル入出力端子２１５から入出力すれば、圧縮映像信号を直接他の機器とやり取りすることができる。
【００１１】
記録メディアとしてハードディスク装置を用いた場合、上述の記録（録画）と再生を同時に行うなどのメリットが得られる。このような構成の記録再生装置が、近年、商品化されている。
【００１２】
しかしながら、上述したような構成の従来の記録再生装置は、記録メディアを取り出すことができないため、例えば図１３に示すように、特定の部屋で記録した圧縮ＡＶ信号を別の部屋で再生することができないなどの問題を有していた。
【００１３】
また、記録中に記録媒体の空き領域がなくなってしまった場合、それ以上記録することができないという問題を有していた。
【００１４】
【非特許文献１】
村瀬  薫、中村  和彦、津賀  一宏、「光ディスクの標準化動向」、映像情報メディア学会誌、映像情報メディア学会、平成１１年１０月２０日、第５３巻、第１０号、ｐ．１３５５−１３５９
【００１５】
【発明が解決しようとする課題】
本発明は、上記問題点に鑑み、他の記録再生装置との間で無線通信を可能とし、圧縮ＡＶ信号と制御信号の送信や受信を行えるようにすることにより、他の記録再生装置に対し、圧縮ＡＶ信号の記録や圧縮ＡＶ信号の再生と送信などの動作を行わせることができる記録再生装置を提供することを目的とする。このようにすれば、例えば、特定の部屋で記録した圧縮ＡＶ信号を別の部屋に設置されている他の記録再生装置へ送信して記録させることができるので、その別の部屋で該圧縮ＡＶ信号を視聴することが可能となる。また、記録中に空き領域がなくなり記録が不可能となった場合でも、自動的に他の記録再生装置に継続して分散記録させることができる。また、他の記録再生装置に圧縮ＡＶ信号の再生と送信を指示し、分散記録された圧縮ＡＶ信号を自動的に結合再生することもできる。
【００１６】
加えて、他の記録再生装置との無線通信を可能とするための無線接続アダプタ装置を提供することを目的とする。
また、上述した記録再生装置の全部または一部の手段や機能を有する表示装置を提供することを目的とする。
【００１７】
また、上述した記録再生装置や表示装置の全部または一部の手段や機能を有する放送受信装置を提供することを目的とする。
また、上述した記録再生装置、無線接続アダプタ装置、表示装置、放送受信装置の全部または一部の手段や機能をコンピュータにより実行させるためのプログラムからなる情報集合体を提供することを目的とする。
【００１８】
【課題を解決するための手段】
本発明の請求項１記載の記録再生装置は、ランダムアクセスが可能である記録媒体に圧縮ＡＶ信号の記録及び再生を行う記録再生装置であって、圧縮ＡＶ信号と制御信号の送信動作もしくは受信動作の少なくとも一方を行う双方向無線通信手段を具備し、かつ、前記双方向無線通信手段を用いて他の記録再生装置に対し動作を指示する動作指示手段、もしくは、他の記録再生装置から受けた指示に応じて動作する制御手段の少なくとも一方を具備するとともに、他の記録再生装置に行った指示の内容もしくは他の記録再生装置から受けた指示の内容の少なくとも一方を保存する保存手段を具備し、再生時に前記保存手段を参照することを特徴とする。
【００１９】
本発明の請求項２記載の記録再生装置は、請求項１記載の記録再生装置であって、録画時に前記双方向無線通信手段を用いて他の記録再生装置が記録可能であるか否かを確認する確認手段を具備し、確認した結果を参照して録画動作を行わせる記録再生装置を自動的に選択することを特徴とする。
【００２０】
本発明の請求項３記載の記録再生装置は、請求項１もしくは２のいずれかに記載の記録再生装置であって、放送信号を受信する放送信号受信手段を具備し、受信した放送信号を他の記録再生装置に録画させることを特徴とする。
【００２１】
本発明の請求項４記載の記録再生装置は、請求項１乃至３のいずれかに記載の記録再生装置であって、指定時刻に録画動作の開始および停止を行うためのタイマー録画手段と、記録媒体の残りの記録容量を監視する監視手段とを具備し、録画予約時に残りの記録容量が不足している場合、他の記録再生装置に対して録画予約を指示することを特徴とする。
【００２２】
本発明の請求項５記載の記録再生装置は、請求項４記載の記録再生装置であって、録画予約時に残りの記録容量が不足している場合、他の記録再生装置に対し、その不足分の録画予約を指示することを特徴とする。
【００２３】
本発明の請求項６記載の記録再生装置は、請求項１乃至５のいずれかに記載の記録再生装置であって、複数の記録再生装置に分散して記録された圧縮ＡＶ信号を再生する場合、他の記録再生装置に対して圧縮ＡＶ信号の再生および送信を指示し、分散して記録された一連の圧縮ＡＶ信号を順次連続して受信し再生することを特徴とする。
【００２４】
本発明の請求項７記載の記録再生装置は、請求項１乃至６のいずれかに記載の記録再生装置であって、他の記録再生装置に記録された圧縮ＡＶ信号を再生中に、特殊再生動作の指示を受けると、現在再生動作中の他の記録再生装置に対しこの指示を転送することを特徴とする。
【００２５】
本発明の請求項８記載の記録再生装置は、請求項１乃至７のいずれかに記載の記録再生装置であって、前記双方向無線通信手段は、伝送帯域の確保が可能であり、圧縮ＡＶ信号を送信するとき、あらかじめ伝送帯域の確保を行うことを特徴とする。
【００２６】
本発明の請求項９記載の記録再生装置は、請求項１乃至８のいずれかに記載の記録再生装置であって、前記双方向無線通信手段は、無線ネットワークの基準時刻に同期したタイマー手段と、前記タイマー手段を基に時間軸復元用のタイムスタンプをＡＶパケット毎に付加する手段とを具備し、タイムスタンプが付加されたＡＶパケットを送信することを特徴とする。
【００２７】
本発明の請求項１０記載の記録再生装置は、請求項１乃至８のいずれかに記載の記録再生装置であって、前記双方向無線通信手段は、無線ネットワークの基準時刻に同期したタイマー手段を具備し、前記タイマー手段及び受信したＡＶパケット毎に付加されている時間軸復元用のタイムスタンプを基に時間軸を復元し、前記受信したＡＶパケットを出力することを特徴とする。
【００２８】
本発明の請求項１１記載の記録再生装置は、請求項９記載の記録再生装置であって、前記双方向無線通信手段は、前記タイマー手段及び受信したＡＶパケット毎に付加されている時間軸復元用のタイムスタンプを基に時間軸を復元し、前記受信したＡＶパケットを出力することを特徴とする。
【００２９】
本発明の請求項１２記載の記録再生装置は、請求項１乃至１１記載の記録再生装置であって、前記双方向無線通信手段として、記録再生装置とは独立した無線接続アダプタ装置を、この無線接続アダプタ装置との接続手段を介して用いることを特徴とする。
【００３０】
本発明の請求項１３記載の記録再生装置は、請求項１２記載の記録再生装置であって、ＩＥＥＥ１３９４高速シリアルバスを具備し、無線接続アダプタ装置とデジタル信号で接続されることを特徴とする。
【００３１】
本発明の請求項１４記載の記録再生装置は、請求項１２記載の記録再生装置であって、圧縮ＡＶ信号を復元してデジタルＡＶ信号とする復元手段及びデジタルＡＶ信号をアナログＡＶ信号に変換するデジタル／アナログ変換手段、もしくは、アナログＡＶ信号をデジタルＡＶ信号に変換するアナログ／デジタル変換手段及びデジタルＡＶ信号を圧縮して圧縮ＡＶ信号とする圧縮手段の少なくとも一方を具備し、無線接続アダプタ装置とアナログ信号で接続されることを特徴とする。
【００３２】
本発明の請求項１５記載の記録再生装置は、請求項１４記載の記録再生装置であって、無線接続アダプタ装置との間で赤外線を用いて制御信号の送信もしくは受信の少なくとも一方を行うことを特徴とする。
【００３３】
本発明の請求項１６記載の情報集合体は、請求項１乃至１５のいずれかに記載の記録再生装置の全部または一部の手段、全部または一部の機能をコンピュータにより実行させるためのプログラムからなることを特徴とする。
【００３４】
本発明の請求項１７記載の無線接続アダプタ装置は、請求項１２、１４、１５のいずれかに記載の記録再生装置と接続可能であることを特徴とする。
本発明の請求項１８記載の無線接続アダプタ装置は、請求項１３記載の記録再生装置と接続可能であることを特徴とする。
【００３５】
本発明の請求項１９記載の無線接続アダプタ装置は、請求項１８記載の無線接続アダプタ装置であって、ＩＥＥＥ１３９４高速シリアルバスを用いて接続された複数の記録再生装置を制御する制御手段を具備することを特徴とする。
【００３６】
本発明の請求項２０記載の情報集合体は、請求項１７乃至１９のいずれかに記載の無線接続アダプタ装置の全部または一部の手段、全部または一部の機能をコンピュータにより実行させるためのプログラムからなることを特徴とする。
【００３７】
本発明の請求項２１記載の表示装置は、請求項１乃至１５のいずれかに記載の記録再生装置の全部または一部の手段、全部または一部の機能を有することを特徴とする。
【００３８】
本発明の請求項２２記載の情報集合体は、請求項２１記載の表示装置の全部または一部の手段、全部または一部の機能をコンピュータにより実行させるためのプログラムからなることを特徴とする。
【００３９】
本発明の請求項２３記載の放送信号受信装置は、請求項１乃至１５のいずれかに記載の記録再生装置の全部または一部の手段、全部または一部の機能を有することを特徴とする。
【００４０】
本発明の請求項２４記載の放送信号受信装置は、請求項２１記載の表示装置の全部または一部の手段、全部もしくは一部の機能を有することを特徴とする。
本発明の請求項２５記載の情報集合体は、請求項２３もしくは２４のいずれかに記載の放送信号受信装置の全部または一部の手段、全部または一部の機能をコンピュータにより実行させるためのプログラムからなることを特徴とする。
【００４１】
以上のように、本発明によれば、他の記録再生装置との間で無線通信が可能となり、他の記録再生装置と圧縮ＡＶ信号や制御信号をやり取りできるので、他の記録再生装置に対し、圧縮ＡＶ信号の記録や圧縮ＡＶ信号の再生と送信などの動作を行わせることができる。そのため、例えば、特定の部屋で記録した圧縮ＡＶ信号を別の部屋に設置されている他の記録再生装置へ送信して記録させることができ、その別の部屋で該圧縮ＡＶ信号を視聴することが可能となる。
【００４２】
更に、記録中に空き領域がなくなり記録が不可能となった場合でも、自動的に他の記録再生装置に継続して分散記録させることができる。また、タイマー録画予約についても自動的に複数の記録再生装置に分散させることができる。また、分散記録された圧縮ＡＶ信号を自動的に順次連続して再生することができる。また、特殊再生を行うことも可能である。また、無線通信を行う機能を内蔵していない従来の記録再生装置で無線通信を可能とすることができる。
【００４３】
【発明の実施の形態】
以下、本発明の実施の形態について、図面を用いて説明する。なお、ここで示す実施の形態はあくまでも一例であって、必ずしも以下の実施の形態に限定されるものではない。
【００４４】
（実施の形態１）
図１は本実施の形態１による記録再生装置の構成、および複数の記録再生装置が無線を介して接続されるシステムの構成を示すブロック図である。なお、ここでは、３台の記録再生装置からなるシステムを例に説明するが、無論、２台以上であればよく、３台に限るものではない。また、第１の記録再生装置１、第２の記録再生装置２、第３の記録再生装置３は同じ構成を有している。そこで、記録再生装置の構成について、第１の記録再生装置１を用いて説明する。なお、第２の記録再生装置２、第３の記録再生装置３には、図が煩雑となることを避けるために復元手段、表示手段の接続、およびリモコンを図示していないが、通常は第１の記録再生装置１と同様であり、専用のリモコンにより独立して記録・再生・視聴ができるようになっている。
【００４５】
図１において、４はランダムアクセスが可能な記録媒体を内蔵する記録メディア（記録再生装置本体）である第１のハードディスク装置である。なお、ここでは記録メディアとしてハードディスク装置を用いて説明するが、これに限るものではない。
【００４６】
５は選択された周波数の放送信号を受信する第１のチューナー手段（放送受信手段）である。なお、ここではＢＳデジタル放送に代表されるＭＰＥＧ２−ＴＳ（トランスポートストリーム）方式による放送信号（圧縮ＡＶ信号）を受信するものとする。６は圧縮ＡＶ信号を復元してデジタルＡＶ信号とする第１の復元手段である。現在放送中の番組を視聴する場合、第１のチューナー手段５により選択された放送信号（圧縮ＡＶ信号）は第１の復元手段６に入力される。第１の復元手段６は第１のチューナー手段５からの圧縮ＡＶ信号をデジタルＡＶ信号に復元する。復元されたデジタルＡＶ信号のうちデジタル映像信号は表示手段７へ出力され、デジタル音声信号はスピーカー等の音声出力装置（図示せず）へ出力される。なお、表示手段７には、図１２に示す表示用メモリ手段２１２、デジタル／アナログ変換手段２１３が内蔵されている。
【００４７】
８は第１の記録再生信号処理手段であり、入力される圧縮ＡＶ信号に対して所定の信号処理を施すとともに、第１のハードディスク装置４による記録媒体への書き込み処理と読み出し処理を制御する。
【００４８】
１０は第１の無線手段であり、他の記録再生装置２、３が具備する無線手段１８、２５との間でアンテナ１３、２０、２７を介して無線による信号の送信動作、受信動作を行う。１１は第１の制御手段であり、リモコン１２から送信される赤外線コマンドや他の記録再生装置から送信される制御信号による指示に応じた動作を行い当該第１の記録再生装置を制御する。また、第１の制御手段１１は、他の記録再生装置２、３に対する動作の指示を行う（動作指示手段）。この第１の記録再生装置１においては、双方向無線通信手段は、第１の同期手段９、第１の無線手段１０、アンテナ１３からなり、後述するように圧縮ＡＶ信号と制御信号の送信動作および受信動作を行う。なお、第１の同期手段９については後述する。
【００４９】
以上のように、第１の記録再生装置１は、ハードディスク装置４、チューナー手段５、復元手段６、記録再生信号処理手段８、同期手段９、無線手段１０、制御手段１１、アンテナ１３により構成されている。
【００５０】
続いて、現在放送中の番組を録画する動作について説明する。第１の制御手段１１は、リモコン１２から録画を指示する赤外線コマンドを受信すると、この指示に応じて動作し、受信中の放送信号（圧縮ＡＶ信号）がハードディスク装置４内蔵の記録媒体に記録されるように当該第１の記録再生装置１の制御を行う。つまり、第１のチューナー手段５にて受信中の放送信号（圧縮ＡＶ信号）が第１の記録再生信号処理手段８に入力されて、所定の信号処理が施された後、第１のハードディスク装置４内蔵の記録媒体へ書き込まれるようにする。なお、放送信号受信手段がアナログＡＶ信号を受信するチューナー手段である場合には、受信した放送信号をアナログ／デジタル変換し且つ圧縮して圧縮ＡＶ信号とした後、第１の記録再生信号処理手段８へ入力する構成を加えればよい。
【００５１】
続いて、再生動作について説明する。このとき利用者は録画済番組一覧表から番組を選択し再生の指示を出すのが通常である。第１の制御手段１１は、リモコン１２から再生を指示する赤外線コマンドを受信すると、この指示に応じて動作し、選択番組が再生されるように当該第１の記録再生装置１の制御を行う。つまり、第１のハードディスク装置４から選択番組に対応する圧縮ＡＶ信号（ビットストリーム）が読み出されて、第１の記録再生信号処理手段８により所定の信号処理が施された後、第１の復元手段６へ入力されるようにする。第１の復元手段６は、この圧縮ＡＶ信号からデジタルＡＶ信号を復元し、上述したように、デジタル映像信号を表示手段７へ出力し、デジタル音声信号を図示しない音声出力装置へ出力する。
【００５２】
このような記録再生装置１、２、３が無線手段とアンテナを用いて無線接続されるシステムの動作について、図２、３を用いて説明する。図２は録画時の装置間連携記録動作のタイムチャートを示す図、図３は制御手段１１、１５、２２の構成の一例を示すブロック図である。
【００５３】
まず、録画動作（記録動作）について、記録再生装置１、２、３が別々の部屋Ａ、Ｂ、Ｃに設置されており、利用者が部屋Ａにおいてリモコン１２を用い記録再生装置１に現在視聴中の番組を録画する指示を出す場合を例に説明する。このとき、利用者は現在視聴中の番組を図２に示す時刻ａから時刻ｄまで録画するものとする。
【００５４】
第１の記録再生装置１の制御手段１１はリモコン１２から録画を指示する赤外線コマンドを受信すると、この指示に応じて動作し、受信中の放送信号がハードディスク装置４内蔵の記録媒体に記録されるように当該第１の記録再生装置１の制御を行う。具体的には、図３に示すように、第１の赤外線受光手段３１が、受信した赤外線コマンドを信号に変換して第１のＣＰＵ３２へ渡す。第１のＣＰＵ３２はその指示の内容を解読し、第１の制御Ｉ／Ｆ手段３５、入出力端子３７を介して、第１の記録再生信号処理手段８に録画を指示する制御信号を出力する。もしくは、第１の赤外線受光手段３１から受けた信号をそのまま転送する。第１の記録再生信号処理手段８は、この制御信号を受けて、第１のチューナー手段５から入力される放送信号に対して所定の信号処理を施すとともに、ハードディスク装置４を制御し記録媒体にこの所定の信号処理後の放送信号（圧縮ＡＶ信号）が書き込まれるようにする。このとき、第１のＣＰＵ３２は、第１の時計手段３４を参照し、当該第１の記録再生装置において時刻ａから番組の録画を開始したことを第１のメモリ手段３３に保存する（保存手段）。また、第１のＣＰＵ３２は第１の記録再生信号処理手段８を介して第１のハードディスク装置内蔵の記録媒体の残り記録容量（空き容量）を常に監視し続けている（監視手段）。
【００５５】
図２に示すように、時刻ａから録画を行った結果、時刻ｂで第１のハードディスク装置４内蔵の記録媒体に空き領域がなくなった場合（残りの記録容量が不足した場合）、第１のＣＰＵ３２はこれ以上記録を継続することが不可能であると判断し、他の記録再生装置に対して記録可能であるか否かの確認を行う（確認手段）。つまり、第２の制御Ｉ／Ｆ手段３６を介して、他の記録再生装置２、３に現在記録を行うことができるか否かを問い合わせるコマンド（制御信号）を第１の無線手段１０を用いて送信する。
【００５６】
この問い合わせコマンドを受信した第２の記録再生装置２および第３の記録再生装置３は、自機のハードディスク装置１４、２１が記録可能な状態であるか否かを判断し、第１の記録再生装置１にその結果を応答する。問い合わせコマンドを受信した記録再生装置の動作について、第２の記録再生装置２を用いて以下に説明する。
【００５７】
アンテナ２０を介して第２の無線手段１８で受信したコマンド（制御信号）は、第２の制御手段１５内蔵のＣＰＵでその種類が判断される。現在記録可能な状態であるか否かを問い合わせるコマンドだと判断した場合、この問い合わせに応じて、記録可能なら「ＹＥＳ」、不可なら「ＮＯ」の返事を第２の無線手段１８を用いて第１の記録再生装置１へ送り返す。なお、このとき記録可能容量などを同時に送り返してもよい。
【００５８】
第２の記録再生装置２と第３の記録再生装置３から返ってきた返事は、アンテナ１３を介して第１の無線手段１０で受信され、第２の制御Ｉ／Ｆ手段３６を介して第１のＣＰＵ３２へ送られる。第１のＣＰＵ３２はこの確認した結果を参照してどちらの装置に継続録画の指示を出すか選択する。
【００５９】
第１のＣＰＵ３２は、第２の記録再生装置２に録画動作を行わせる判断をした場合、第１の記録再生装置１にて録画を行っていた番組を第２の記録再生装置２が受信するための放送チャンネル切り替えコマンド、および録画を指示する録画コマンドからなる制御信号を第２の記録再生装置２へ第１の無線手段１０を用いて送信する。また、第１のＣＰＵ３２は、第１の時計手段３４を参照し、当該第１の記録再生装置において時刻ｂまで番組の録画が行われ、第２の記録再生装置２に対して時刻ｂから番組の録画を開始するよう指示したことを第１のメモリ手段３３に保存する（保存手段）。
【００６０】
第２の記録再生装置２の制御手段１５内蔵のＣＰＵは、受信した制御信号（放送チャンネル切り替えコマンドおよび録画コマンド）を解読し、その指示に応じて動作する。つまり、第２のチューナ手段１９を制御してチャンネルを切り替え、放送信号が第２のハードディスク装置１４内蔵の記録媒体に記録されるようにする。また、第２の制御手段１５内蔵のＣＰＵは、第２の制御手段１５内蔵の時計手段を参照し、第１の記録再生装置１からの指示に応じて、当該第２の記録再生装置において時刻ｂから番組の録画を開始したことを第２の制御手段１５内蔵のメモリ手段に保存する（保存手段）。
【００６１】
さらに時間が経過し、時刻ｃにおいて第２の記録再生装置２の空き容量がなくなった場合には、第３の記録再生装置３に継続して記録を行う。このとき、第２の記録再生装置２が、空き容量がなくなったことを第１の記録再生装置１へ伝え、第１の記録再生装置１が第３の記録再生装置３に録画を指示する。もしくは、第２の記録再生装置２が第３の記録再生装置３に録画を指示し、この指示の内容を第１の記録再生装置１へ伝える。
【００６２】
なお、録画する装置が切り替わるタイミングは、図２に示すように空き容量がなくなる直前に上記の動作を行うことにより、オーバーラップ記録期間を設けるのがよい。
【００６３】
また、記録再生装置２、３が、自機のチューナー手段を使わずに、第１の記録再生装置１が第１の無線手段１０を用いて送信した圧縮ＡＶ信号を受信して記録するようにしてもよい。
【００６４】
以上のように、本実施の形態１によれば、他の記録再生装置との間で無線通信（圧縮ＡＶ信号や制御信号の送受信動作）が可能となり、他の記録再生装置を制御することができるので、特定の記録再生装置だけでは記録容量が不足する場合でも、他の記録再生装置を用いて自動的に記録を継続することが可能となる。
【００６５】
続いて、当該システムにおけるタイマー録画の予約時の動作について、利用者が部屋Ａにおいてリモコン１２を用い第１の記録再生装置１にタイマー録画を予約する場合を例に説明する。このとき、利用者は図２に示す時刻ａから時刻ｄまで録画を予約するものとする。なお、第１の記録再生装置１においては、指定時刻に録画動作の開始および停止を行うためのタイマー録画手段は、第１の制御手段１１と第１のメモリ手段３３からなる。
【００６６】
利用者は部屋Ａにおいてリモコン１２を用い時刻ａから時刻ｄまでの録画予約を指示する。第１の制御手段１１内蔵の赤外線受光手段３１は、リモコン１２から送信された録画予約を指示する赤外線コマンドを受信すると、信号に変換して第１のＣＰＵ３２へ渡す。第１のＣＰＵ３２はその指示の内容を解読すると、まず、第１のハードディスク装置４の空き容量、第１のメモリ手段３３に保存されている他のタイマー録画予約の状況、記録するビットストリームのデータレート（以下、記録レートと称す。）などから、自機のハードディスク装置４において記録可能な時刻の判断を行う。そして、自機で記録できる分については自機に対してタイマー録画の予約を行う。ここでは、時刻ａから時刻ｂまで自機で記録でき、時刻ａから時刻ｂをタイマー録画時間（指定時刻）としてタイマー録画を予約する。
【００６７】
第１のＣＰＵ３２は、自機で記録不可能な時刻のタイマー録画予約が可能か否か他の記録再生装置に確認する（確認手段）。つまり、第１のＣＰＵ３２は、第２の制御Ｉ／Ｆ手段３６を介して、他の記録再生装置２、３に対し、当該第１の記録再生装置１では記録不可能な時刻のタイマー録画予約が可能か否かを問い合わせるコマンド（制御信号）を第１の無線手段１０を用いて送信する。
【００６８】
この問い合わせコマンドを受信した第２の記録再生装置２および第３の記録再生装置３は、自機のハードディスク装置１４、２１がその時刻にタイマー録画が可能であるか否かを判断し、第１の記録再生装置１にその結果を応答する。問い合わせコマンドを受信した記録再生装置の動作について、第２の記録再生装置２を用いて以下に説明する。
【００６９】
アンテナ２０を介して第２の無線手段１８で受信したコマンド（制御信号）は、第２の制御手段１５内蔵のＣＰＵでその種類が判断される。ある時刻にタイマー録画が可能か否かを問い合わせるコマンドだと判断した場合、この問い合わせに応じて、まず第２のハードディスク装置１４の空き容量、第２の制御手段１５内蔵のメモリ手段に保存されている他のタイマー録画予約の状況、記録レートなどから、その時刻のうちのタイマー録画が可能な時刻を第２の無線手段１８を用いて第１の記録再生装置１へ送り返す。
【００７０】
第２の記録再生装置２と第３の記録再生装置３から返ってきた返事は、アンテナ１３を介して第１の無線手段１０で受信され、第２の制御Ｉ／Ｆ手段３６を介して第１のＣＰＵ３２へ送られる。第１のＣＰＵ３２はこの確認した結果を参照していずれの装置にどの時刻のタイマー録画予約を指示するかについて判断する。
【００７１】
例えば、第２の記録再生装置２に時刻ｂから時刻ｃまでの録画を予約させ、第３の記録再生装置３に時刻ｃから時刻ｄまでの録画を予約させる判断をした場合、第１のＣＰＵ３２はそれぞれに対してタイマー録画チャンネルとタイマー録画時間からなる制御信号を第１の無線手段１０を用いて送信する。また、第１のＣＰＵ３２は、時刻ａから時刻ｂまでのタイマー録画予約を自機に対して行い、時刻ｂから時刻ｃまでのタイマー録画予約を第２の記録再生装置２に対して指示し、時刻ｃから時刻ｄまでのタイマー録画予約を第３の記録再生装置３に対して指示したことを第１のメモリ手段３３に保存する（保存手段）。
【００７２】
タイマー録画チャンネルとタイマー録画時間からなる制御信号を受信した第２の記録再生装置２と第３の記録再生装置３は、それぞれの制御手段１５、２２内蔵のＣＰＵにより、指示されたタイマー録画予約を行う。また、それぞれの制御手段１５、２２内蔵のＣＰＵは、それぞれの制御手段１５、２２内蔵のメモリ手段にこの指示された内容を保存する（保存手段）。
【００７３】
このようにして、時刻ａからｄのタイマー録画の予約を複数の記録再生装置に分散する。
なお、記録再生装置２、３が、自機のチューナー手段を使わずに、第１の記録再生装置１が第１の無線手段１０を用いて送信した圧縮ＡＶ信号を受信して記録するようにしてもよい。
【００７４】
以上のように、本実施の形態１によれば、他の記録再生装置との間で無線通信（圧縮ＡＶ信号や制御信号の送受信動作）が可能となり、複数の記録再生装置にタイマー録画の予約を分散させることができるので、特定の記録再生装置だけでは記録容量不足であったり、タイマー録画の先約がある場合であっても、他の記録再生装置を用いて予約録画を行うことが可能となる。
【００７５】
なお、ここでは他の記録再生装置に容量の不足する分だけ、現在放送中の番組を録画させる例と、タイマー録画予約を分散させる例について説明したが、無論、全て他の記録再生装置に録画させるようにしてもよい。
【００７６】
続いて、当該システムにおける再生動作について、上述したように分散して別々の記録再生装置に録画された番組を、部屋Ａに設置された表示手段で視聴する場合を例に説明する。
【００７７】
利用者は部屋Ａにおいてリモコン１２を用い第１の記録再生装置１に番組を再生する指示を出す。このとき利用者は録画済番組一覧表から番組を選択し再生の指示を出すのが通常である。第１の記録再生装置１の制御手段１１内蔵のＣＰＵ３２は、その指示の内容を解読し、まず第１のメモリ手段３３を参照してどの記録再生装置から再生すべきかを判断する。ここでは、時刻ａからｂにかけて放送された分については第１の記録再生装置１で再生し、時刻ｂからｃにかけて放送された分については第２の記録再生装置２に再生させ、時刻ｃからｄにかけて放送された分については第３の記録再生装置３に再生させる判断がなされる。
【００７８】
次に、第１のＣＰＵ３２は、選択番組のうち時刻ａからｂにかけて放送された分に対応する圧縮ＡＶ信号（ビットストリーム）が第１のハードディスク装置４から読み出されて、第１の記録再生信号処理手段８により所定の信号処理が施された後、第１の復元手段６へ入力されるようにする。第１の復元手段６は、この圧縮ＡＶ信号からデジタルＡＶ信号を復元し、上述したように、デジタル映像信号を表示手段７へ出力し、デジタル音声信号を図示しない音声出力装置へ出力する。
【００７９】
選択番組のうち時刻ａからｂにかけて放送された分を再生すると、第１のＣＰＵ３２は、第２の記録再生装置２に対し、選択番組のうち時刻ｂからｃにかけて放送された分の再生を指示する再生コマンド、およびその再生した圧縮ＡＶ信号の当該第１の記録再生装置１への送信を指示する送信コマンドからなる制御信号を第１の無線手段１０を用いて送信する。
【００８０】
第２の記録再生装置２の制御手段１５内蔵のＣＰＵは、受信した制御信号に応じて動作し、該当する圧縮ＡＶ信号が第２のハードディスク装置１４から読み出され、第１の記録再生装置１へ送信されるように制御する。
【００８１】
第２のハードディスク装置１４から読み出された圧縮ＡＶ信号は第２の記録再生信号処理手段１６で所定の信号処理が施されてＡＶパケットとなり、第２の同期手段１７へ入力される。第２の同期手段１７は入力されるＡＶパケット毎にタイムスタンプを付加して第２の無線手段１８へ出力する。第２の無線手段１８はアンテナ２０を介して第１の記録再生装置１へこのＡＶパケットを送信する。アンテナ１３を介して第１の無線手段１０で受信されたＡＶパケットは、第１の同期手段９に入力される。第１の同期手段９はＡＶパケットに付加されているタイムスタンプを利用して時間軸を復元する。時間軸が復元されたＡＶパケットは第１の記録再生信号処理手段８を介して第１の復元手段６に入力される。この場合、第１の記録再生信号処理手段８は時間軸が復元されたＡＶパケットを第１の復元手段６に渡す動作のみを行っている。
【００８２】
図４は各記録再生装置の同期手段９、１７、２４の構成の一例を示すブロック図である。図４において、４１、４２はＡＶパケットの入出力端子であり、入出力端子４１が記録再生信号処理手段との接続端子であり、入出力端子４２が無線手段との接続端子である。４３、４４はスイッチであり、ＡＶパケットを送信するときには上側に入れられ、受信するときには下側に入れられる。まず、ＡＶパケットを送信する上側の構成について説明する。
【００８３】
４５は無線ネットワークの基準時刻と同期してクロックをカウントするタイマー手段、４６は入出力端子４３にＡＶパケットが入力された瞬間のタイマー手段４５の示す値をラッチして一時的に記憶するラッチ手段、４７はラッチ手段４６によりラッチされた値を時間軸復元用のタイムスタンプとしてＡＶパケットに付加するタイムスタンプ付加手段、４８は一旦ＡＶパケットを蓄える送信バッファである。本実施の形態１においては、タイムスタンプをＡＶパケットに付加する手段は、ラッチ手段４６とタイムスタンプ付加手段４７からなる。
【００８４】
入出力端子４３にＡＶパケットが入力されると、この入力された瞬間のタイマー手段４５の示す値がラッチ手段４６によりラッチされる。タイムスタンプ付加手段４７は、ラッチ手段４６でラッチされた値をタイムスタンプとして該ＡＶパケットに付加する。タイムスタンプの付加された該ＡＶパケットは一旦送信バッファ４８に蓄えらた後、スイッチ４４を介して入出力端子４２から出力され、無線手段によりアンテナを介して無線伝送される。
【００８５】
図５は、タイムスタンプを用いた時間軸の復元を説明するための図である。図５（ａ）に示すように入出力端子４１にＡＶパケットが入力されると、図５（ｂ）に示すようにタイムスタンプが付加される。図５（ｃ）に示すように、無線区間においては、タイムスタンプが付加されたＡＶパケット複数個が１つの無線パケットで伝送される。これは無線区間での伝送効率を向上させるためである。図５（ｄ）は受信側で時間軸が復元された後の時系列を示している。いずれも、横軸は時間軸である。
【００８６】
このように無線区間で失われた時間軸を復元するためにタイムスタンプを用いている。以下、時間軸を復元するための同期手段の構成について説明する。
受信側の無線手段で受信されたＡＶパケットは、同期手段に入力される。スイッチ４３、４４は、ＡＶパケットを受信するときには下側に入れられる。
【００８７】
図４において、４９はＡＶパケットに付加されたタイムスタンプを分離するタイムスタンプ分離手段であり、タイムスタンプはタイムスタンプバッファ５０へ格納され、ＡＶパケットはＡＶパケットバッファ５１に格納される。
【００８８】
５２はタイムスタンプバッファ５０へ格納されたタイムスタンプ値に固定オフセット値を加えた値と、タイマー手段４５の示す値とを比較する比較手段であり、タイマー手段４５の示す値がタイムスタンプ＋固定オフセットの値に一致した瞬間にＡＶパケットバッファ５１からＡＶパケットを出力させる。固定オフセットは、タイムスタンプで示される時刻から所定時間経過後にＡＶパケットバッファからＡＶパケットを読み出すためのものであり、その最適値は、無線区間及び処理系全体でのＡＶパケットの遅延時間と、ＡＶパケットバッファのバッファ量から、ＡＶパケットバッファがオーバーフローしないように決められる。なお、受信側のタイマー手段は、無線ネットワークの基準時刻と同期して送信側のタイマー手段と誤差範囲で同一の時刻を刻む必要がある。
【００８９】
以上のように、受信したＡＶパケットを一旦バッファリングしてタイムスタンプ値＋固定オフセット値後にＡＶパケットバッファから読み出すことにより、図５（ｄ）に示すように時間軸を復元することができる。このような時間軸の復元処理は、ＭＰＥＧ２−ＴＳ方式による動画伝送などで有効である。
【００９０】
このように、第１の記録再生装置１における時刻ａからｂにかけて放送された分の再生に連続して、時刻ｂからｃにかけて放送された分が第２の記録再生装置２から送信され、再生される。そして、同様に、時刻ｂからｃにかけて放送された分の再生に連続して、時刻ｃからｄにかけて放送された分が第３の記録再生装置３から送信され、再生される。このようにして、分散して記録された一連の圧縮ＡＶ信号を順次連続して受信し再生することが可能となる。
【００９１】
なお、他の記録再生装置が再生中に、早送り、巻き戻し、一時停止、コマ送りなどのいわゆる特殊再生が指示された場合、第１の制御手段１１のＣＰＵ３２は、リモコン１２から受信した特殊再生コマンドを解読し、現在再生中の記録再生装置にこの特殊再生コマンドを転送する。
【００９２】
また、無線手段は、伝送帯域の確保が可能であり、再生されたＡＶパケットを無線送信するときには伝送帯域の確保をあらかじめ行うことにより、高品質の映像伝送を実現する。
【００９３】
また、いずれの記録再生装置にどの圧縮ＡＶ信号が記録されているのかという録画情報は、いずれの記録再生装置に保存されてもよく、その記憶領域も制御手段１１、１５、２２内のメモリ手段に限るものではない。再生時は、利用者から再生を指示された記録再生装置が録画情報を参照して記録再生装置を選択する。例えば、利用者が操作している装置とは別異の記録再生装置に録画情報が保存されている場合には、その記録再生装置からその録画情報を送信させるなどして参照する。
【００９４】
以上のように、本実施の形態１によれば、他の記録再生装置との間で無線通信（圧縮ＡＶ信号や制御信号の送受信動作）が可能となり、他の記録再生装置を制御することにより、複数の記録再生装置に分散して記録された圧縮ＡＶ信号を連続してあたかも唯一の装置に記録されているかの如く再生することができる。また、特殊再生コマンドを再生動作中の記録再生装置に適切に転送することにより、特殊再生を行うこともできる。このように、あたかも手元の装置を操作しているが如くの操作性を実現することが可能になる。
【００９５】
（実施の形態２）
続いて、本実施の形態２による記録再生装置と無線接続アダプタ装置、および複数の記録再生装置が無線接続アダプタ装置により無線を介して接続されるシステムについて説明する。
【００９６】
図６は、本実施の形態２による記録再生装置と無線接続アダプタ装置の構成、および複数の記録再生装置が無線接続アダプタ装置により無線を介して接続されるシステムの構成を示すブロック図である。なお、前述した実施の形態１と同じ構成を有する部材には同一の番号を付記して、説明を省略する。
【００９７】
本実施の形態２では、前述した実施の形態１において記録再生装置に内蔵されていたアンテナ及び無線手段及び同期手段（双方向無線通信手段）を独立したアダプタ形式とし、記録再生装置が無線接続アダプタ装置をインターフェイス（接続手段）を介して用いるように構成されている。また、本実施の形態２では、接続手段としてＩＥＥＥ１３９４高速シリアルバス（以下、単にＩＥＥＥ１３９４と称す。）を用い、記録再生装置と無線接続アダプタ装置との間をデジタル信号で接続する。
【００９８】
図６において、点線枠内が無線接続アダプタ装置、枠外が双方向無線通信手段を内蔵しない記録再生装置である。６３乃至６６が無線接続アダプタ装置と記録再生装置を接続するためのＩＥＥＥ１３９４である。これらのＩＥＥＥ１３９４を介してコマンド（制御信号）とＡＶパケットの受け渡しが行われる。ＩＥＥＥ１３９４は双方向のデジタルインターフェイスであるので、前述した実施の形態１で説明した機能を実現することができる。
【００９９】
この構成を取ることにより、双方向無線通信手段を内蔵しない記録再生装置に、双方向無線通信手段の機能を付加することができる。
また、インターフェース（接続手段）としてＩＥＥＥ１３９４を用いる無線接続アダプタ装置は、ＩＥＥＥ１３９４により接続された複数の記録再生装置間の通信を制御する制御手段を有するので、ＩＥＥＥ１３９４により複数の記録再生装置を接続しておけば、無線接続アダプタ装置を一つ追加するだけで、複数の記録再生装置がこの無線接続アダプタ装置を共有して使用することができる。例えば、図７に示すように、表示手段（チューナー内蔵）７１、記録再生装置（ＨＤＤ）７２、７３をＩＥＥＥ１３９４を介して無線接続アダプタ装置７４に接続し、同様に、表示手段（チューナー内蔵）７５、記録再生装置（ＨＤＤ）７６、７７をＩＥＥＥ１３９４を介して無線接続アダプタ装置７８に接続すれば、接続されているすべての記録再生装置間で、前述の実施の形態１で説明した機能を実現することができる。また、ＩＥＥＥ１３９４を用いることにより、伝送帯域を確保することができるため、実効帯域の低下による画質劣化・コマ落ちなども防ぐことができる。
【０１００】
以上のように、本実施の形態２によれば、実施の形態１において記録再生装置に内蔵していたアンテナ及び無線手段及び同期手段（双方向無線通信手段）を独立させ、ＩＥＥＥ１３９４で接続することにより、アンテナ及び無線手段及び同期手段（双方向無線通信手段）を内蔵しない従来の記録再生装置を流用することができる。さらに、複数の記録再生装置を跨いだ高品質な無線伝送が可能になる。
【０１０１】
（実施の形態３）
続いて、本実施の形態３による記録再生装置と無線接続アダプタ装置、および複数の記録再生装置が無線接続アダプタ装置により無線を介して接続されるシステムについて説明する。
【０１０２】
図８、９は、本実施の形態３による記録再生装置と無線接続アダプタ装置の構成、および複数の記録再生装置が無線接続アダプタ装置により無線を介して接続されるシステムの構成を示すブロック図である。なお、前述した実施の形態２と同じ構成を有する部材には同一の番号を付記して、説明を省略する。但し、図９に示す記録再生装置と無線接続アダプタ装置が、図６に示す記録再生装置と無線接続アダプタ装置と同等の送受信機能を持つのに対し、図８に示す記録再生装置と無線接続アダプタ装置は上段が送信機能のみ、下段が受信機能のみに特化されている。
【０１０３】
図８、９において、点線枠内が無線接続アダプタ装置、枠外が双方向無線通信手段を内蔵しない記録再生装置である。前述した実施の形態２ではＩＥＥＥ１３９４を用いてデジタル信号により記録再生装置と接続アダプタ装置を接続したが、本実施の形態３では、ＡＶ信号をアナログ信号により接続し、コマンド（制御信号）を赤外線により接続する。この構成を取ることにより、ＩＥＥＥ１３９４が内蔵されていないアナログ入出力のみの記録再生装置にも、双方向無線通信手段の機能を付加することができる。
【０１０４】
なお、図８、９においては、下段に示す記録再生装置のみが表示手段と接続されているが、無論、すべての記録再生装置が表示手段と接続されていてもよい。
続いて、圧縮ＡＶ信号を送信するための構成について説明する。図８、９に示すように、記録再生装置側には、圧縮ＡＶ信号を復元してデジタルＡＶ信号とする復元手段と、この復元手段からのデジタルＡＶ信号をアナログＡＶ信号に変換するデジタル／アナログ変換手段（Ｄ／Ａ変換手段）とが設けられており、このアナログＡＶ信号を無線接続アダプタ装置へ出力する構成となっている。また、無線接続アダプタ装置側には、記録再生装置から入力されたアナログＡＶ信号をデジタルＡＶ信号に変換するアナログ／デジタル変換手段（Ａ／Ｄ変換手段）と、このアナログ／デジタル変換手段からのデジタルＡＶ信号を圧縮して圧縮ＡＶ信号（ＡＶパケット）にする圧縮手段とが設けられており、このＡＶパケットが同期手段へ入力される構成となっている。
【０１０５】
次に、圧縮ＡＶ信号を受信するための構成について説明する。図８、９に示すように、無線接続アダプタ装置側には、同期手段により時間軸の復元された圧縮ＡＶ信号（ＡＶパケット）を復元してデジタルＡＶ信号とする復元手段と、この復元手段からのデジタルＡＶ信号をアナログＡＶ信号に変換するデジタル／アナログ変換手段（Ｄ／Ａ変換手段）とが設けられており、このアナログＡＶ信号を記録再生装置へ出力する構成となっている。また、記録再生装置側には、無線接続アダプタ装置から入力されたアナログＡＶ信号をデジタルＡＶ信号に変換するアナログ／デジタル変換手段（Ａ／Ｄ変換手段）と、このアナログ／デジタル変換手段からのデジタルＡＶ信号を圧縮して圧縮ＡＶ信号（ＡＶパケット）にする圧縮手段とが設けられており、このＡＶパケットが記録再生信号処理手段へ入力される構成となっている。
【０１０６】
このような構成とすることにより、前述した実施の形態１で説明した機能を実現することができる。
なお、通常一系統のアナログ伝送では双方向伝送は困難であるので、双方向伝送を実現するためには、図９に示すように、スイッチを介して並列に受信系と送信系を備える必要がある。
【０１０７】
また、図８、９の下段に示すように、無線接続アダプタ装置から出力されるアナログＡＶ信号を直接アナログ映像信号とアナログ音声信号に分離して表示手段と音声出力装置へ出力する構成としてもよい。
【０１０８】
続いて、コマンド（制御信号）を送受信するための構成について、図１０、１１を用いて説明する。図１０は記録再生装置の制御手段（例えば、図９の下段に示す第４の制御手段８８）の構成の一例を示すブロック図であり、図１１は無線接続アダプタ装置の制御手段（例えば、図９の下段に示す第５の制御手段８７）の構成の一例を示すブロック図である。
【０１０９】
図１０、１１に示すように、記録再生装置と無線接続アダプタ装置の各制御手段には赤外線受光手段と赤外線発光手段が設けられており、赤外線を用いて記録再生装置と無線接続アダプタ装置間のコマンド（制御信号）の双方向伝送を行っている。
【０１１０】
具体的には、記録再生装置の第２の赤外線受光手段１０８は、リモコンからの赤外線コマンドを受信すると、信号に変換して第２のＣＰＵ１０９へ渡す。第２のＣＰＵ１０９はその内容を解読し、他の記録再生装置への指示コマンドであった場合には、第１の赤外線発光手段１０７によりこの赤外線コマンドが発光されるようにする。この赤外線コマンドは無線接続アダプタ装置の第３の赤外線受光手段１１５により信号に変換され、第３のＣＰＵ１１６へ渡される。第３のＣＰＵ１１６はその内容を解読し、他の記録再生装置への指示コマンドであった場合には、第４の制御Ｉ／Ｆ手段１１９および入出力端子１２０を介して無線手段へ送信する。同様に、無線手段により受信したコマンドは、無線接続アダプタ装置の制御手段により赤外線に変換され、記録再生装置の制御手段へ送信される。記録再生装置の第２のＣＰＵ１０９はその内容を解読し、他の記録再生装置からの指示コマンドであった場合には、その指示の内容に従って動作する。
【０１１１】
このように、赤外線受光手段と赤外線発光手段を備えることにより、ＩＥＥＥ１３９４を用いた双方向のコマンド伝送と同等の機能が実現できる。
以上のように、本実施の形態３によれば、実施の形態１において記録再生装置に内蔵していたアンテナ及び無線手段及び同期手段（双方向無線通信手段）を独立させ、アナログ信号と赤外線で接続することにより、アンテナ及び無線手段及び同期手段（双方向無線通信手段）を内蔵せず、かつアナログ入出力対応の従来の記録再生装置を流用することができる。
【０１１２】
なお、実施の形態１乃至３で説明した記録再生装置や無線接続アダプタ装置の一部もしくは全部の手段や機能は、表示手段（表示装置）や、表示手段に接続されたセットトップボックスなどの放送信号受信装置内部に具備させても構わない。
【０１１３】
また、実施の形態１乃至３で説明した記録再生装置や無線接続アダプタ装置の一部もしくは全部の手段や機能をコンピュータにより実行可能なプログラム（情報集合体を含む。）により実行させても構わない。
【０１１４】
また、実施の形態１乃至３では、放送信号を用いて説明を行ったが、無論、放送信号に限るものではなく、直接他の機器とやり取りされる圧縮ＡＶ信号やデジタルＡＶ信号、アナログＡＶ信号についても同様である。
【０１１５】
また、無線通信により圧縮ＡＶ信号や制御信号を記録再生装置間で双方向に送受信する例を説明したが、無論、これに限らず、送信機能又は受信機能のいずれか一方のみを設けるようにしてもよい。例えば、ある特定の記録再生装置で記録した圧縮ＡＶ信号を他の記録再生装置で視聴する機能のみでよい場合には、該特定の記録再生装置に圧縮ＡＶ信号と制御信号の送信機能を設け、他の記録再生装置には受信機能のみを設けるだけでもよい。
【０１１６】
【発明の効果】
以上のように、本発明によれば、他の記録再生装置との間で無線通信が可能となり、他の記録再生装置と圧縮ＡＶ信号や制御信号をやり取りできるので、他の記録再生装置に対し、圧縮ＡＶ信号の記録や圧縮ＡＶ信号の再生と送信などの動作を行わせることができる。そのため、例えば、特定の部屋で記録した圧縮ＡＶ信号を別の部屋に設置されている他の記録再生装置へ送信して記録させることができ、その別の部屋で該圧縮ＡＶ信号を視聴することが可能となる。
【０１１７】
更に、記録中に空き領域がなくなり記録が不可能となった場合でも、自動的に他の記録再生装置に継続して分散記録させることができる。また、タイマー録画予約についても自動的に複数の記録再生装置に分散させることができる。また、分散記録された圧縮ＡＶ信号を自動的に順次連続して再生することができる。また、特殊再生を行うことも可能である。また、無線通信を行う機能を内蔵していない従来の記録再生装置で無線通信を可能とすることができる。
【図面の簡単な説明】
【図１】本発明の実施の形態１による記録再生装置の構成、および複数の記録再生装置が無線を介して接続されるシステムの構成を示すブロック図
【図２】本発明の実施の形態１による録画時の装置間連携記録動作のタイムチャートを示す図
【図３】本発明の実施の形態１による記録再生装置の制御手段の構成の一例を示すブロック図
【図４】本発明の実施の形態１による記録再生装置の同期手段の構成の一例を示すブロック図
【図５】本発明の実施の形態１によるタイムスタンプを用いた時間軸の復元を説明するための図
【図６】本発明の実施の形態２による記録再生装置と無線接続アダプタ装置の構成、および複数の記録再生装置が無線接続アダプタ装置により無線を介して接続されるシステムの構成を示すブロック図
【図７】本発明の実施の形態２による複数の記録再生装置をＩＥＥＥ１３９４により一台の無線接続アダプタ装置に接続したシステムの一例を示す図
【図８】本発明の実施の形態３による記録再生装置と無線接続アダプタ装置の構成、および複数の記録再生装置が無線接続アダプタ装置により無線を介して接続されるシステムの構成を示すブロック図
【図９】本発明の実施の形態３による記録再生装置と無線接続アダプタ装置の構成、および複数の記録再生装置が無線接続アダプタ装置により無線を介して接続されるシステムの構成を示すブロック図
【図１０】本発明の実施の形態３による記録再生装置の制御手段の構成の一例を示すブロック図
【図１１】本発明の実施の形態３による無線接続アダプタ装置の制御手段の構成の一例を示すブロック図
【図１２】従来の記録再生装置の一例を示すブロック図
【図１３】従来の問題点を説明するための図
【符号の説明】
１、２、３    記録再生装置
４、１４、２１    ハードディスク装置（記録メディア）
５、１９、２６    チューナー手段
６    復元手段
７    表示手段
８、１６、２３    記録再生信号処理手段
９、１７、２４    同期手段
１０、１８、２５    無線手段
１１、１５、２２    記録再生装置の制御手段
１２    リモコン
１３、２０、２７    アンテナ
３１    赤外線受光手段
３２    ＣＰＵ
３３    メモリ手段
３４    時計手段
３５、３６    制御Ｉ／Ｆ手段
３７、３８    入出力端子
４１、４２    入出力端子
４３、４４    スイッチ
４５    タイマー手段
４６    ラッチ手段
４７    タイムスタンプ付加手段
４８    送信バッファ
４９    タイムスタンプ分離手段
５０    タイムスタンプバッファ
５１    ＡＶパケットバッファ
５２    比較手段
６１、６２    無線接続アダプタ装置
６３、６４、６５、６６    ＩＥＥＥ１３９４高速シリアルバス
７１、７５    表示手段
７２、７３、７６、７７    記録再生装置（ＨＤＤ）
７４、７８    無線接続アダプタ装置
８１、８２、９５、９６    無線接続アダプタ装置
８３、８９、１００    復元手段
８４、９０、９７、１０１    デジタル／アナログ変換手段（Ｄ／Ａ変換手段）
８５、９１、９８、１０２    アナログ／デジタル変換手段（Ａ／Ｄ変換手段）
８６、９２、９９、１０３    圧縮手段
８７、９３    無線接続装置アダプタ装置の制御手段
８８、９４    記録再生装置の制御手段
１０４、１０５、１０６    スイッチ
１０７    赤外線発光手段
１０８    赤外線受光手段
１０９    ＣＰＵ
１１０    メモリ手段
１１１    時計手段
１１２    制御Ｉ／Ｆ手段
１１３    入出力端子
１１４    赤外線発光手段
１１５    赤外線受光手段
１１６    ＣＰＵ
１１７    メモリ手段
１１８    時計手段
１１９    制御Ｉ／Ｆ手段
１２０    入出力端子
２０１    アナログ入力端子
２０２    アナログ／デジタル変換手段
２０３    圧縮手段
２０４    ビットストリーム生成手段
２０５    記録用バッファ
２０６    記録変調手段
２０７    制御手段
２０８    ハードディスク装置（記録メディア）
２０９    再生復調手段
２１０    再生用バッファ
２１１    復元手段
２１２    表示用メモリ手段
２１３    デジタル／アナログ変換手段
２１４    アナログ出力端子
２１５    デジタル入出力端子
２１６    デジタルインターフェース
【図１】
2004260767.tif 000003
【図２】
2004260767.tif 000004
【図３】
2004260767.tif 000005
【図４】
2004260767.tif 000006
【図５】
2004260767.tif 000007
【図６】
2004260767.tif 000008
【図７】
2004260767.tif 000009
【図８】
2004260767.tif 000010
【図９】
2004260767.tif 000011
【図１０】
2004260767.tif 000012
【図１１】
2004260767.tif 000013
【図１２】
2004260767.tif 000014
【図１３】
2004260767.tif 000015